(57)【特許請求の範囲】
【請求項１】
帯状のキャンバスを筒状に懸回してその一端部と他端部とを内外に重合し、
前記重合したキャンバスの一端部と他端部とをジョイントにて結着し、筒状に結着したキャンバスの両側縁に接続フランジを固着して構成されるダクト用たわみ継手に用いるキャンバス用ジョイントであって、
前記キャンバスには、帯状の状態において、キャンバス幅方向の中間位置で、かつ長手方向に変形防止用として補強線材が設けられており、
前記筒状に結着したキャンバスの両側縁の接続フランジの中間で、かつ前記キャンバスの補強線材が配置される部分に対応する位置において、
前記ジョイントは、キャンバスの両端部内外に重ね合わせされる内側プレート及び外側プレートと、これら双方のプレートを前記外側プレートの外方よりねじ込んで前記重合したキャンバスの両端部とともに連結する止めネジとの組合せでなり、
前記内側プレートと前記外側プレートのそれぞれに前記止めネジ用の孔を一対ずつ穿設するとともに、前記内側プレートと前記外側プレートのキャンバス側面の孔間に、前記キャンバスに設けられた補強線材の一端部と他端部を収容するための線材収容孔を設けたことを特徴とするダクト用たわみ継手に用いるキャンバス用ジョイント。
【請求項２】
前記内側プレートと外側プレートの線材収容孔は、それぞれ前記補強線材の一端部用と他端部用とに分割されている
ことを特徴とする請求項１に記載のダクト用たわみ継手に用いるキャンバス用ジョイント。
【請求項３】
前記外側プレートに穿設される止めネジ用の孔が、前記止めネジよりも大径なネジ挿通孔であり、前記内側プレートに穿設される止めネジ用の孔が、前記止めネジのねじ込みによってメネジが刻設されるタップ孔または前記止めネジよりも大径なネジ挿通孔である
ことを特徴とする請求項１または２に記載のダクト用たわみ継手に用いるキャンバス用ジョイント。
【発明の詳細な説明】
【技術分野】
【０００１】
本発明は、ダクトの間に振動吸収等を目的に用いられるダクト用たわみ継手を、接続フランジとともに構成するキャンバスを結着するためのジョイントに関する。
【背景技術】
【０００２】
ダクト用たわみ継手は、ビル等の建築物内部に空調や排煙等を目的に設置される剛体構造のダクトの間に介装され、ダクトが地震その他の振動で建築物とともに揺れた場合に、伸縮性並びに屈曲性を有するキャンバスによってこれを吸収することにより、剛体ダクトへの損傷を極力防止するようにしている。
【０００３】
このたわみ継手は、例えば、ロール状に巻かれたキャンバスを所定長さに切断して断面円形や矩形の筒状に懸回してその一端部及び他端部を内外に重合し、両側縁に接続フランジを固着するとともに、重合したキャンバスの一端部及び他端部をホチキス針や鳩目，ダイカシメやリベットカシメ等のジョイントを用いて結着し、さらにその上を接着テープ等で固定することにより構成されている（例えば、特許文献１参照）。
【先行技術文献】
【特許文献】
【０００４】
【特許文献１】特開２００５−２３３５３４号公報（段落番号００１８、図１３）
【発明の概要】
【発明が解決しようとする課題】
【０００５】
特許文献１に例示されるように、キャンバス両端部の結着は、ジョイントがホチキス針や鳩目，ダイカシメやリベットカシメといった細かなものであることから結着箇所が点となる。このような点結着では、キャンバス端部に充分な連結強度を持たせることができないため、これらのジョイントをキャンバスの幅に細かなピッチで多数使用しなければならず、多大な労力と時間を要するばかりか、コスト高となるという欠点があった。
さらに、たわみ継手の多くは、剛体ダクトの施工業者が剛体ダクトの構造や設置条件に合わせていわゆる現場合わせで製作するが、剛体ダクトの組み立てがスパナやドライバといった汎用工具で済むのに対し、たわみ継手のキャンバス端部の結着には、ステップラやかしめ具といった専用工具を用意しなければならないといった煩わしさがある。
【０００６】
また、たわみ継手用のキャンバスには、建築物にたわみ継手として設置した際に、内部の風圧によく堪えるようキャンバスの中央部長手方向に変形防止用の補強線材を挿通したものがあるが、施工業者がこの補強線材入りのキャンバスを用いてたわみ継手を製作する場合に、補強線材はキャンバス両端部に略合わせて切断されるが、補強線材の端部は切断したままか簡便なエンドキャップを被せる程度に処理され、殆どの場合補強線材の端部は固定されないことが多い。
このため、たわみ継手を建築物に設置して内部の風圧を受けると、キャンバスと補強線材の端部とが擦れ合い、またこの擦れ合いによってエンドキャップが外れ、補強線材の端部でキャンバスを傷めることがあった。
【０００７】
本発明は、このような実情を背景にしてなされたもので、その目的とするところは、キャンバスを筒状にして結着する作業を、特別な工具を用いることなく短時間で簡便に行えるようにし、以てコストの低減に寄与することのできるダクト用たわみ継手に用いるキャンバス用ジョイントを提供することにある。また、本発明のさらなる目的として、たわみ継手に補強線材入りのキャンバスを用いたとしても、補強線材の端部でキャンバスを傷めることのないダクト用たわみ継手に用いるキャンバス用ジョイントを提供するものである。
【課題を解決するための手段】
【０００８】
上記した目的を達成するため、本発明は、帯状のキャンバスを筒状に懸回してその一端部と他端部とを内外に重合し、前記重合したキャンバスの一端部と他端部とをジョイントにて結着し、筒状に結着したキャンバスの両側縁に接続フランジを固着して構成されるダクト用たわみ継手に用いるキャンバス用ジョイントであって、前記キャンバスには、帯状の状態において、キャンバス幅方向の中間位置で、かつ長手方向に変形防止用として補強線材が設けられており、前記筒状に結着したキャンバスの両側縁の接続フランジの中間で、かつ前記キャンバスの補強線材が配置される部分に対応する位置において、
前記ジョイントは、キャンバスの両端部内外に重ね合わせされる内側プレート及び外側プレートと、これら双方のプレートを前記外側プレートの外方よりねじ込んで前記重合したキャンバスの両端部とともに連結する止めネジとの組合せでなり、
前記内側プレートと前記外側プレートのそれぞれに前記止めネジ用の孔を一対ずつ穿設するとともに、前記内側プレートと前記外側プレートのキャンバス側面の孔間に、前記キャンバスに設けられた補強線材の一端部と他端部を収容するための線材収容孔を設けたことを特徴としている。
【０００９】
内側プレートと外側プレートの線材収容孔は、それぞれ補強線材の一端部用と他端部用とに分割してもよい。
また、外側プレートに穿設される止めネジ用の孔を、止めネジよりも大径なネジ挿通孔とし、内側プレートに穿設される止めネジ用の孔を、止めネジのねじ込みによってメネジが刻設されるタップ孔または止めネジよりも大径なネジ挿通孔とすることができる。
【００１０】
本発明のキャンバス用ジョイントは、内外２枚のプレートと一対の止めネジとからなり、これを用いてキャンバスの一端部と他端部とを結着するには、帯状のキャンバスを筒状に懸回してその一端部と他端部とを内外に重合し、この重合したキャンバスの一端部と他端部との内外に内側プレートと外側プレートとで重ね合わせし、この重ね合わせ時に双方のプレートの線材収容孔に補強線材の一端部と他端部を収容する。
【００１１】
つぎに、外側プレートの外方から該外側プレートの止めネジ用の孔に止めネジを差し込み、さらにキャンバスの一端部と他端部とを貫通させた止めネジを内側プレートの止めネジ用の孔にねじ切りして止めるか、あるいは内側プレートを貫通してキャンバスの内側へ突出させた止めネジの先端にナットを螺着して、内外双方のプレートをネジ止めすることにより、キャンバスの両端部が結着されるとともに補強線材の両端部が双方のプレートによってガタ付きなく挟持される。このネジ止め作業は、ドライバやスパナ等の汎用工具を用いて行われる。
これにより、たわみ継手を建築物内部の剛体ダクト間に設置してたわみ継手が内部の風圧を受けても、キャンバスと補強線材の端部とが擦れ合うことがない。
なお、本発明のジョイントを補強線材のないキャンバスに使用することも妨げるものではない。
【００１２】
本発明のキャンバス用ジョイントは、重合したキャンバスの両端部中央に少なくとも１組を用い、またキャンバスの幅が広い場合にはキャンバスの幅方向に複数組を用いるが、内外双方のプレートがキャンバスの両端部を面接触で挟むので、従来の点接触によるジョイントに較べて使用個数が少なくて済む。
【００１３】
内側プレートと外側プレートとをネジ止めする場合に、外側プレートの止めネジ用の孔は止めネジよりも大径のネジ挿通孔とするが、内側プレートの止めネジ用の孔は、止めネジよりも大径のネジ挿通孔に形成して、内側プレートからキャンバスの内側へ突出させた止めネジの先端にナットを螺着するか、あるいは内側プレートの止めネジ用の孔をタップ孔とし、このタップ孔にタッピングネジをねじ込んでメネジを刻設するようにしてもよい。後者の場合には、タップ孔を刻んでメネジを立てるので止めネジの緩み防止効果があり、またナットの省略により部品点数の削減が図れる。
【発明の効果】
【００１４】
以上説明したように、本発明のキャンバス用ジョイントによれば、キャンバスを筒状にして結着する作業を、汎用工具を用いて短時間で簡便に行うことができ、以て製作コストの低減が図れる。とくに、補強線材入りのキャンバスを用いた場合には、内外プレートのネジ止めと同時に補強線材の両端部を双方のプレートが挟持するので、補強線材の両端部でキャンバスを傷めることなく、たわみ継手を長期間に亘って使用することが可能となる。
また、内側プレートの止めネジ用の孔をタップ孔とすることにより、このタップ孔にねじ込まれるタッピングネジがメネジを刻むので、止めネジを緩み防止する効果があり、しかもナットを省略できるので部品点数の削減が図れる。
【図面の簡単な説明】
【００１５】
【図１】本発明の第１形態例を示すキャンバス用ジョイントを用いてキャンバスの一端部と他端部とを結着した状態の拡大断面図である。
【図２】本発明の第１形態例を示すたわみ継手の斜視図である。
【図３】本発明の第１形態例を示すたわみ継手をダクト間に装着した状態の平面図である。
【図４】本発明の第１形態例を示す図１のＩＶ−ＩＶ断面図である。
【図５】本発明の第２形態例を示すキャンバス用ジョイントを用いてキャンバスの一端部と他端部とを結着した状態の拡大断面図である。
【図６】本発明の第３形態例を示すたわみ継手の斜視図である。
【図７】本発明の第３形態例を示すたわみ継手をダクト間に装着した状態の平面図である。
【図８】本発明の第３形態例を示すキャンバス用ジョイントを用いてキャンバスの一端部と他端部とを結着した状態の拡大断面図である。
【図９】本発明の第３形態例を示す図８のＩＸ−ＩＸ断面図である。
【発明を実施するための形態】
【００１６】
以下、本発明の各形態例を図面に基づいて説明する。図中、図１〜図４は本発明の第１形態例を示し、図５は本発明の第２形態例を示し、図６〜図９は本発明の第３形態例を示している。
図１〜図４の第１形態例に示すダクト用たわみ継手１は、継手本体となるキャンバス２を１組のキャンバス用ジョイント３を用いて円筒状に結着し、該キャンバス２の両側縁に金属製の接続フランジ４，４をリング状に周設して構成されており、図３に示すように、このたわみ継手１をビル等の建築物に配設される剛性のダクト５の適宜箇所に介装することにより、ダクト５が地震等で建築物とともに揺れた場合に、伸縮性並びに屈曲性を持つキャンバス２によってこれを吸収することにより、ダクト５への損傷を極力防止するようにしている。
【００１７】
キャンバス２は、例えば、表面にアルミ箔等の耐火処理を施した不燃性のクロスや、ポリエステル繊維などの化繊に塩化ビニルやオレフィン樹脂，ゴムをコーティングしたいわゆるターポリンと称するクロス、あるいはガラス繊維などに同様の樹脂やゴムをコーティングしたクロスを材料に形成して、振動等に伴う伸縮や屈曲ができるようにしている。
キャンバス２は、長さ方向中央部分が左右をミシン線６，６で縫合された幅狭な袋状部分７となっていて、この袋状部分７に補強線材８が内挿されており、たわみ継手１を剛性のダクト５，５の間に設置して内部の風圧を受けた場合に、キャンバス２が大きく変形することのないようにしている。
【００１８】
たわみ継手１に用いる前のキャンバス２は長いロール状に巻かれており、その外周側を引き出してたわみ継手１の本体部外周長さよりもやや長めに切断し、これをたわみ継手１の本体部と同径の筒状にして、内外に重ね合わせたキャンバス２の一端部２ａ及び他端部２ｂを１組のキャンバス用ジョイント３で結着するもので、たわみ継手１を構成した際には、ロール状に巻かれていたキャンバス２の幅が接続フランジ４，４間の継手本体の長さとなる。
袋状部分７内の補強線材８は、ロール状に巻かれたキャンバス２を切断する際に一体に切断され、その一端部８ａと他端部８ｂは、キャンバス２をたわみ継手１の本体部と同径の筒状にした際に内外に重ね合わせされる。
【００１９】
キャンバス用ジョイント３は、横長方形の内側プレート１０及び外側プレート１１と、２本のセルフタッピングネジ１２，１２とからなっている。内側プレート１０と外側プレート１１は、例えば塩化ビニル樹脂等の合成樹脂板によって形成されており、内側プレート１０の長手方向にはタップ孔１３ａ，１３ａが穿設され、また外側プレート１１の長手方向には座ぐり穴付きのネジ挿通孔１４ａ，１４ａが内側プレート１０のタップ孔１３ａ，１３ａと同ピッチで穿設されている。
【００２０】
タッピングネジ１２は本発明の止めネジに、また内側プレート１０のタップ孔１３ａは本発明の止めネジ用の孔にそれぞれ相当するもので、タップ孔１３ａはタッピングネジ１２の軸径よりもやや小径に形成されており、また外側プレート１１のネジ挿通孔１４ａはタッピングネジ１２の軸径よりもやや大径に形成されている。
内側プレート１０のキャンバス側面には、タップ孔１３ａ，１３ａの間に補強線材２本分よりも幅広な線材収容孔１５が内側プレート１０の幅方向全長に亘って凹設されており、また外側プレート１１のキャンバス側面には、ネジ挿通孔１４ａ，１４ａの間に、内側プレート１０の線材収容孔１５と同幅の線材収容孔１６が凹設されている。
【００２１】
たわみ継手１の継手本体となる接続フランジ４，４間のキャンバス２の長さが、例えば２００〜３００ｍｍである場合に、内外両プレート１０，１１には、長さが２０〜４０ｍｍで幅が１０〜２５ｍｍ程度の長方形の塩化ビニル樹脂板が用いられ、タップ孔１３ａ，１３ａの間とネジ挿通孔１４ａ，１４ａの間に、幅６〜８ｍｍで深さが１〜２ｍｍ程度の線材収容孔１５，１６が凹設される。
【００２２】
図１，図４に示すように、キャンバス２の両端部２ａ，２ｂを本形態例のキャンバス用ジョイント３で結着する場合に、帯状のキャンバス２を筒状に懸回してその一端部２ａと他端部２ｂとを内外に重合し、この重合した一端部２ａと他端部２ｂとの内外中央に内側プレート１０と外側プレート１１とで重ね合わせし、この重ね合わせの際に、内外に突き合わせされる線材収容孔１５，１６に補強線材８の一端部８ａと他端部８ｂを収容する。
【００２３】
つぎに、外側プレート１１の外方からネジ挿通孔１４ａ，１４ａにそれぞれタッピングネジ１２を差し込んで、該タッピングネジ１２をキャンバス２の両端部２ａ，２ｂに貫通させ、さらにタッピングネジ１２を内側プレート１０のタップ孔１３ａにねじ込んで、該タップ孔１３ａにメネジを刻設することにより、内外双方のプレート１０，１１をネジ止めする。これにより、キャンバス２の両端部２ａ，２ｂが結着され、さらに補強線材８の両端部８ａ，８ｂが双方のプレートによってガタ付きなく挟持される。このネジ止め作業は、ドライバ等の汎用工具を用いて行われる。
これにより、たわみ継手１を剛体のダクト５，５間に設置してたわみ継手１が内部の風圧を受けても、キャンバス２と補強線材８の両端部８ａ，８ｂとが擦れ合うことがなく、たわみ継手１としての性能を長期間よく維持することができる。
【００２４】
キャンバス２の両端部２ａ，２ｂは、その中央部のみがキャンバス用ジョイント３によって結着されるが、内側プレート１０と外側プレート１１とが両端部２ａ，２ｂを広い面積で隙間なく挟むため、たわみ継手１内部の風圧にも充分に堪える結着強度を有する。また、キャンバス用ジョイント３の両側はキャンバス２の両端部２ａ，２ｂを内外に重ね合わせしただけとなるが、たわみ継手１内部の風圧やたわみ継手１自身が振動した際に、両端部２ａ，２ｂがたわみ継手１の内外や幅方向へフレキシブルに動くことができるのでいたずらな負荷を生じないで済む。
さらに本形態例は、内外両プレート１０，１１のキャンバス側面中央に凹設される線材収容孔１５，１６を補強線材２本分よりも幅広にしたことにより、両プレート１０，１１を内外に重ね合わせした際に、補強線材８の両端部８ａ，８ｂを線材収容孔１５，１６に収容しやすいというメリットがある。
【００２５】
つぎに、本発明の第２，第３形態例を説明する。なお、上述の第１形態例と同一構成部分については同一の符号を付して詳細な説明を省略する。
図５に示す第２形態例のキャンバス用ジョイント２０は、本発明の止めネジとして、両プレート１０，１１とキャンバス２の両端部２ａ，２ｂの厚みよりも長い通しネジ２１，２１を採用し、内側プレート１０に穿設される止めネジ用の孔を通しネジ２１の軸径よりも大径なネジ挿通孔２２となし、該ネジ挿通孔２２からキャンバス２の内側へ突出する通しネジ２１の先端にナット２３を螺着するとともに、両プレート１０，１１のキャンバス側面でネジ挿通孔１４ａ，１４ａの間やネジ挿通孔２２，２２の間に凹設される線材収容孔２４，２５を、それぞれ補強線材８の一端部８ａ用と他端部８ｂとの２つに分割した点で、上述の第１形態例と異なっている。
【００２６】
図６〜図９に示す第３形態例では、第１形態例と同様のキャンバス用ジョイント３を使用するも、補強線材を有しないキャンバス３０を用いた事例を示しており、キャンバス用ジョイント３は、補強線材の両端部を固定するという機能は持たないが、キャンバス３０の一端部３０ａと他端部３０ｂを最小の１組構成で簡便且つ確実に結着するという基本機能の達成のみに用いている。
【符号の説明】
【００２７】
１…ダクト用たわみ継手
２，３０…キャンバス
２ａ，３０ａ…キャンバス２，３０の一端部
２ｂ，３０ｂ…キャンバス２，３０の他端部
３，２０…キャンバス用ジョイント
５…剛性のダクト
６…ミシン線
７…袋状部分
８…補強線材
８ａ…補強線材８の一端部
８ｂ…補強線材８の他端部
１０…内側プレート
１１…外側プレート
１２…タッピングネジ
１３ａ…タップ孔
１４ａ，２２…ネジ挿通孔
１５，１６…線材収容孔
２１…通しネジ
２３…ナット
２４，２５…線材収容孔
【図１】
0005505929.tif 000002
【図２】
0005505929.tif 000003
【図３】
0005505929.tif 000004
【図４】
0005505929.tif 000005
【図５】
0005505929.tif 000006
【図６】
0005505929.tif 000007
【図７】
0005505929.tif 000008
【図８】
0005505929.tif 000009
【図９】
0005505929.tif 000010